【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
移動デバイス等のユーザを支持するための支持構造体であって、
流体入口、及び
１つ以上のアパーチャを有し、前記１つ以上のアパーチャが１つ以上の流体出口を 形成する上面セクション
を備える流体流路を備え、
前記流体流路の少なくとも一部はテーパ状であり、前記少なくとも部分的にテーパ状の流体流路は第１及び第２の端部を備え、
前記少なくとも部分的にテーパ状の流体流路の前記第１の端部は前記流体入口の近位に位置し、前記少なくとも部分的にテーパ状の流体流路の前記第２の端部は前記流体入口の遠位に位置し、
前記少なくとも部分的にテーパ状の流体流路の前記第２の端部の幅は、前記少なくとも部分的にテーパ状の流体流路の前記第１の端部の幅よりも大きく、
前記流体出口は、前記流体入口の近位に位置する第１の端部と、前記流体入口の遠位に位置する第２の端部とを有する、
支持構造体。
【請求項２】
実質的に前記流体流路の全体がテーパ状である、請求項１に記載の支持構造体。
【請求項３】
前記少なくとも部分的にテーパ状の流体流路の最大幅が、前記少なくとも部分的にテーパ状の流体流路の前記第２の端部に位置する、請求項１又は２に記載の支持構造体。
【請求項４】
前記少なくとも部分的にテーパ状の流体流路の最小幅が、前記少なくとも部分的にテーパ状の流体流路の前記第１の端部に位置する、請求項１〜３のいずれか一項に記載の支持構造体。
【請求項５】
前記流体流路が側壁を備え、前記側壁間の最小分離距離は、前記少なくとも部分的にテーパ状の流体流路の前記第１の端部に位置し、前記側壁間の最大分離距離は、前記少なくとも部分的にテーパ状の流体流路の前記第２の端部に位置する、請求項１〜４のいずれか一項に記載の支持構造体。
【請求項６】
前記少なくとも部分的にテーパ状の流体流路の前記第１の端部の深さが、前記少なくとも部分的にテーパ状の流体流路の前記第２の端部の深さより大きい、請求項１〜５のいずれか一項に記載の支持構造体。
【請求項７】
前記少なくとも部分的にテーパ状の流体流路の前記第１の端部の断面の面積が、前記少なくとも部分的にテーパ状の流体流路の前記第２の端部の断面の面積より大きい、請求項１〜６のいずれか一項に記載の支持構造体。
【請求項８】
前記流体流路の前記上面セクションが開口部を備え、前記流体流路の前記上面セクションの前記開口部が前記流体出口を画定する、請求項１〜７のいずれか一項に記載の支持構造体。
【請求項９】
前記上面セクションが閉鎖部を備え、前記流体流路の前記上面セクションの前記閉鎖部が前記流体入口の近位に位置する、請求項１〜８のいずれか一項に記載の支持構造体。
【請求項１０】
実質的に前記流体流路の前記上面セクションの全体が開口し、その結果、前記流体出口を形成する、請求項１〜９のいずれか一項に記載の支持構造体。
【請求項１１】
前記流体出口の前記第２の端部の幅が、前記流体出口の前記第１の端部の幅よりも大きい、請求項１〜１０のいずれか一項に記載の支持構造体。
【請求項１２】
前記流体出口が、前記少なくとも部分的にテーパ状の流体流路の前記上面セクションと実質的に同じ形状である、請求項１〜１１のいずれか一項に記載の支持構造体。
【請求項１３】
前記支持構造体が第１の流体分散層を備え、前記支持構造体が、流体が前記流体出口から前記第１の流体分散層を通って流れることができるように構成される、請求項１〜１２のいずれか一項に記載の支持構造体。
【請求項１４】
前記第１の流体分散層の少なくとも一部が多孔質であり、前記第１の流体分散層の少なくとも一部が非多孔質であり、前記第１の流体分散層の前記多孔質部分は、流体がそこを通過できるように構成され、前記第１の流体分散層の前記非多孔質部分は、流体の流れを緩和又は防止するように構成される、請求項１３に記載の支持構造体。
【請求項１５】
前記第１の流体分散層の前記多孔質部分と前記流体出口が少なくとも部分的に重なり合う、請求項１４に記載の支持構造体。
【請求項１６】
前記第１の流体分散層の前記多孔質部分の幅が前記流体出口の幅より大きい、請求項１４又は１５に記載の支持構造体。
【請求項１７】
前記第１の流体分散層の前記多孔質部分の長さが前記流体出口の長さよりも大きい、請求項１４〜１６のいずれか一項に記載の支持構造体。
【請求項１８】
前記第１の流体分散層の前記非多孔質部分が前記第１の流体分散層の下部領域に位置する、請求項１４〜１７のいずれか一項に記載の支持構造体。
【請求項１９】
ユーザの身体を支持するための支持構造体に流体を提供するための装置であって、
流体入口、及び
１つ以上のアパーチャを有し、前記１つ以上のアパーチャが１つ以上の流体出
口を形成する上面セクション
を備える流体流路
を備える、ユーザを支持するための支持構造体を備え、
前記流体流路の少なくとも一部はテーパ状であり、前記少なくとも部分的にテーパ状の流体流路は第１の端部と第２の端部とを備え、
前記少なくとも部分的にテーパ状の流体流路の前記第１の端部は、前記流体入口の近位に位置し、前記少なくとも部分的にテーパ状の流体流路の前記第２の端部は、前記流体入口の遠位に位置し、
前記少なくとも部分的にテーパ状の流体流路の前記第２の端部の幅は、前記少なくとも部分的にテーパ状の流体流路の前記第１の端部の幅よりも大きく、
前記流体出口は、前記流体入口の近位に位置する第１の端部と、前記流体入口の遠位に位置する第２の端部とを有する、装置。
【請求項２０】
ユーザの身体を支持するための支持構造体の温度を制御する装置であって、
流体入口、及び
１つ以上のアパーチャを有し、前記１つ以上のアパーチャが１つ以上の流体出 口を形成する上面セクション
を備える流体流路
を備える、ユーザを支持するための支持構造体を備え、
前記流体流路の少なくとも一部はテーパ状であり、前記少なくとも部分的にテーパ状の流体流路は第１の端部と第２の端部とを備え、
前記少なくとも部分的にテーパ状の流体流路の前記第１の端部は、前記流体入口の近位に位置し、前記少なくとも部分的にテーパ状の流体流路の前記第２の端部は、前記流体入口の遠位に位置し、
前記少なくとも部分的にテーパ状の流体流路の前記第２の端部の幅は、前記少なくとも部分的にテーパ状の流体流路の前記第１の端部の幅よりも大きく、
前記流体出口は、前記流体入口の近位に位置する第１の端部と、前記流体入口の遠位に位置する第２の端部とを有する、装置。
【請求項２１】
流体を移動デバイス等のユーザに提供する方法であって、
流体入口、及び
１つ以上のアパーチャを有し、前記１つ以上のアパーチャが１つ以上の流体出 口を形成する上面セクション
を備える流体流路
を備える、ユーザを支持するための支持構造体を提供するステップであって、
前記流体流路の少なくとも一部はテーパ状であり、前記少なくとも部分的にテーパ状の流体流路が第１の端部と第２の端部とを備え、
前記少なくとも部分的にテーパ状の流体流路の前記第１の端部は、前記流体入口の近位に位置し、前記少なくとも部分的にテーパ状の流体流路の前記第２の端部は、前記流体入口の遠位に位置し、
前記少なくとも部分的にテーパ状の流体流路の前記第２の端部の幅は、前記少なくとも部分的にテーパ状の流体流路の前記第１の端部の幅よりも大きいステップと、
前記流体出口は、前記流体入口の近位に位置する第１の端部と、前記流体入口の遠位に位置する第２の端部とを有するステップと、
流体を前記流体入口を介して前記流体流路に提供するステップであって、その結果、流体は前記流体出口を通って前記ユーザへ流れるステップと
を含む方法。
【請求項２２】
流体を分散させる方法であって、
流体入口、及び
１つ以上のアパーチャを有し、前記１つ以上のアパーチャが１つ以上の流体出
口を形成する上面セクション
を備える流体流路
を備える、ユーザを支持するための支持構造体を提供するステップであって、
前記流体流路の少なくとも一部はテーパ状であり、前記少なくとも部分的にテーパ状の流体流路は第１の端部と第２の端部とを備え、
前記少なくとも部分的にテーパ状の流体流路の前記第１の端部は、前記流体入口の近位に位置し、前記少なくとも部分的にテーパ状の流体流路の前記第２の端部は、前記流体入口の遠位に位置し、
前記少なくとも部分的にテーパ状の流体流路の前記第２の端部の幅は、前記少なくとも部分的にテーパ状の流体流路の前記第１の端部の幅よりも大きいステップと、
前記流体出口は、前記流体入口の近位に位置する第１の端部と、前記流体入口の遠位に位置する第２の端部とを有するステップと、
流体を前記流体入口を介して前記流体流路に提供するステップであって、その結果、流体は前記流体出口を通って前記ユーザへ流れるステップと、
分散された流体が前記ユーザに提供されるように、前記流体を前記流体出口を通って流れた後又は流れているときに分散させるステップと
を含む方法。